(57)【要約】【課題】断熱材下及び防水層下の脱気を容易に行なうことができると共に、断熱材を無理に圧縮することなく、断熱材の厚みに合わせて位置調節が可能な断熱防水用二重脱気筒を提供する。【解決手段】断熱防水用二重脱気筒１は、躯体コンクリート２上に張設された断熱材３上に設置されるベースプレート４と、ベースプレート４上に固着されて立設される内筒５と、内筒５の上端及び外周を所定隙間をあけて被包する有底円筒状の外筒６と、ベースプレート４を断熱材３の上部近傍で保持すると共に、断熱材３の厚みに合わせてベースプレート４の高さを調節するベースプレート保持・調節手段７と、内筒５の下部外周に遊嵌し、外筒６の開口端を載置させ、外筒６周りのシーリングを行うシーリングプレート８とを備えている。断熱防水用二重脱気筒１は、躯体コンクリート２上に張設された断熱材３上に設置され、断熱材３下及び防水層４５下の脱気を行う。【選択図】図１
0003162315.tif 000002
【実用新案登録請求の範囲】
【請求項１】
躯体コンクリート上に張設された断熱材上に設置されるベースプレートと、
前記ベースプレート上に固着されて立設される内筒と、
前記内筒の上端及び外周を所定隙間をあけて被包する有底円筒状の外筒と、
前記ベースプレートを躯体コンクリート上に張設された断熱材の上部近傍で保持すると共に、断熱材の厚みに合わせて前記ベースプレートの高さを調節するベースプレート保持・調節手段と、
前記内筒の下部外周に遊嵌し、前記外筒の開口端を載置させ、前記外筒の開口端周りのシーリングを行うシーリングプレートとを備え、
躯体コンクリート上に張設された断熱材上に設置され、断熱材下及び防水層下の脱気を行う断熱防水用二重脱気筒であって、
前記ベースプレートは、中央部に中央孔が開穿され、
前記内筒は、一端開口部が前記中央孔に連通され、他端開口部には前記内筒の軸心位置に雌ネジが刻設された支持杆が固着され、
前記外筒は、開口部近傍外周部に排気用開口部が形成され、前記外筒の内底部近傍には支持杆を介してボルトが前記外筒の軸方向に向かって固着され、前記ボルトを前記雌ネジに螺合させることにより前記外筒を前記内筒に取付け、且つ、前記内筒と前記外筒との上下間隔を調節自在に構成され、
前記ベースプレート保持・調節手段は、前記ベースプレートの下面を受けて保持する受け金物と、
前記受け金物の中央部に刻設された雌ネジ部に螺合し、前記受け金物の高さ位置を調節する全ネジボルトとを備えたことを特徴とする断熱防水用二重脱気筒。
【考案の詳細な説明】
【技術分野】
【０００１】
本考案は、断熱材下及び防水層下の脱気を容易に行なうことができると共に、断熱材の厚みに合わせて位置調節が可能な断熱防水用二重脱気筒に関するものである。
【背景技術】
【０００２】
本願出願人は、特許文献１に記載される考案「二重脱気筒」を既に出願済みであり、特許文献１は、内筒の一端に固着した基板をコンクリートスラブ上に固着し、基板上に断熱材、防水層を張設した後、内筒にカラーリングを嵌め、内筒に外筒を被せ、外筒をカラーリング上に載置することにより二重脱気筒を設置し、コンクリートスラブに発生した水蒸気を含む空気を基板に開穿した孔を通過させ、内筒内を下から上に通過させ、外筒内を上から下に通過させ、外筒の下端部に開穿した孔から排出させるものである。
【先行技術文献】
【特許文献】
【０００３】
【特許文献１】実公平１−４４６７１号公報
【考案の概要】
【考案が解決しようとする課題】
【０００４】
近年、断熱性能を上げるために、断熱材の厚みが増加しており、特許文献１記載の「二重脱気筒」に於いては、断熱材の厚みが増加すると、外筒が内筒に対して浅く嵌合し、外筒の保持が不安定になり、破損の虞があり、一方、外筒を内筒に対して深く嵌合させると、外筒が断熱材を無理に圧縮することになり、断熱性能を損なうと共に、漏水の原因にもなるという問題がある。
【０００５】
以上の現状に鑑み、本考案は、断熱材下及び防水層下の脱気を容易に行なうことができると共に、断熱材を無理に圧縮することなく、断熱材の厚みに合わせて位置調節が可能な断熱防水用二重脱気筒を提供することを目的とする。
【課題を解決するための手段】
【０００６】
上記の課題を解決すべく、本考案は以下の構成を提供する。
請求項１に係る考案は、躯体コンクリート上に張設された断熱材上に設置されるベースプレートと、
前記ベースプレート上に固着されて立設される内筒と、
前記内筒の上端及び外周を所定隙間をあけて被包する有底円筒状の外筒と、
前記ベースプレートを躯体コンクリート上に張設された断熱材の上部近傍で保持すると共に、断熱材の厚みに合わせて前記ベースプレートの高さを調節するベースプレート保持・調節手段と、
前記内筒の下部外周に遊嵌し、前記外筒の開口端を載置させ、前記外筒の開口端周りのシーリングを行うシーリングプレートとを備え、
躯体コンクリート上に張設された断熱材上に設置され、断熱材下及び防水層下の脱気を行う断熱防水用二重脱気筒であって、
前記ベースプレートは、中央部に中央孔が開穿され、
前記内筒は、一端開口部が前記中央孔に連通され、他端開口部には前記内筒の軸心位置に雌ネジが刻設された支持杆が固着され、
前記外筒は、開口部近傍外周部に排気用開口部が形成され、前記外筒の内底部近傍には支持杆を介してボルトが前記外筒の軸方向に向かって固着され、前記ボルトを前記雌ネジに螺合させることにより前記外筒を前記内筒に取付け、且つ、前記内筒と前記外筒との上下間隔を調節自在に構成され、
前記ベースプレート保持・調節手段は、前記ベースプレートの下面を受けて保持する受け金物と、
前記受け金物の中央部に刻設された雌ネジ部に螺合し、前記受け金物の高さ位置を調節する全ネジボルトとを備えたことを特徴とする断熱防水用二重脱気筒を提供するものである
【考案の効果】
【０００７】
本考案によれば、断熱材下及び防水層下の脱気を容易に行なうことができると共に、断熱材を無理に圧縮することなく、断熱材の厚みに合わせて位置調節が可能な断熱防水用二重脱気筒を提供することができる。
【図面の簡単な説明】
【０００８】
【図１】本考案による断熱防水用二重脱気筒とその作用を説明する正面断面図である。
【図２】本考案による断熱防水用二重脱気筒の分解した各部とその組立方法を説明する分解正面断面図である。
【図３】（ａ）本考案による断熱防水用二重脱気筒の外筒の正面図である。（ｂ）本考案によるシーリングプレートの平面図である。（ｃ）本考案による内筒がベースプレートに固着された状態を示す平面図である。（ｄ）本考案による全ネジボルトに受け金物が螺合された状態を示す平面図である。
【図４】（ａ）〜（ｄ）本考案による断熱防水用二重脱気筒の設置方法の説明図である。
【考案を実施するための形態】
【０００９】
以下、実施例を示した図面を参照しつつ本考案の実施の形態を説明する。
図１及び図２に於いて、１は、本考案の断熱防水用二重脱気筒を示し、断熱防水用二重脱気筒１は、躯体コンクリート２上に張設された断熱材３上に設置されるベースプレート４と、ベースプレート４上に固着されて立設される内筒５と、内筒５の上端及び外周を所定隙間をあけて被包する有底円筒状の外筒６と、ベースプレート４を躯体コンクリート２上に張設された断熱材３の上部近傍で保持すると共に、断熱材３の厚みに合わせてベースプレート４の高さを調節するベースプレート保持・調節手段７と、内筒５の下部外周に遊嵌し、外筒６の開口端を載置させ、外筒６の開口端周りのシーリングを行うシーリングプレート８とを備えている。
即ち、躯体コンクリート２の断熱防水施工を行う場合に於いて、本断熱防水用二重脱気筒１は、躯体コンクリート２上に張設された断熱材３上に設置され、断熱材３下の脱気を行うように構成されたものである。
【００１０】
そして、前記ベースプレート４は、図２及び図３（ｃ）に示す如く、例えば、平面視略方形板に形成され、断面視略八の字形に形成され、方形板の中央部に中央孔２１が開穿され、更に、方形板の四隅部にプラスチックプラグ付きアンカー２２を挿通させるための挿通孔２３，２３…が開穿されている。
内筒５は、図２に示す如く一端開口部がベースプレート４の中央孔２１に連通され、他端開口部には内筒５の軸心位置に雌ネジ２４が刻設された支持杆２５が固着されている。
そして、支持杆２５と、支持杆２５が固着される内筒６の内壁部との間には、内筒５と外筒６の内底部側とを連通させる図３（ｃ）に示す連通孔２５ａが形成されている。
【００１１】
外筒６は、図３（ａ）に示す如く、開口部近傍外周部に、外筒６外周部の開口端から所定幅で、所定長さ軸方向に延びる長孔状の１乃至複数個の排気用開口部２６が形成されると共に、図２に示す如く、外筒６の内底部近傍には支持杆２７を介してボルト２８が外筒６の軸方向に向かって固着され、ボルト２８を雌ネジ２４に螺合させることにより外筒６を内筒５に取付け、且つ、内筒５と外筒６との上下間隔を調節できるように（調節自在に）構成されている。
そして、支持杆２７と、支持杆２７が固着される外筒６の内壁部との間には、内筒５と外筒６の内底部側とを連通させる連通孔、及び、外筒６の内底部側と外筒６の開口部側とを連通させる連通孔が形成されている。
ベースプレート保持・調節手段７は、ベースプレート４の下面を受けて保持する図３（ｄ）に示す如く略方形板状の受け金物２９と、受け金物２９の中央部に刻設された雌ネジ部に螺合し、受け金物２９の高さ位置を調節する図２に示す全ネジボルト３０とを備えている。図３（ｄ）に示す如く受け金物２９にも長孔状の２つの連通孔２９ａ，２９ａが形成されている。
シーリングプレート８は、図２及び図３（ｂ）に示す如く、平面視略円環状、断面視略八の字状に形成され、円環の中央孔を形成する周壁部が所定高さに立設する円筒状に形成されている。
【００１２】
而して、次に、前記断熱防水用二重脱気筒１を設置する方法について図４に従って説明する。
先ず、図４（ａ）に示す如く、躯体コンクリート２上に張設された断熱材３に躯体コンクリート２に達する例えばφ２０ｍｍの孔４１を開穿し、孔４１の上部に孔４１よりもやや大きい幅で、左右水平方向に夫々例えば１０ｍｍ程度延びる適宜深さの溝４２を形成する。
次に、全ネジボルト３０を受け金物２９に螺合させ、受け金物２９の下方に全ネジボルト３０を断熱材３の厚みよりも短い所定長さ突出させる。
そして、受け金物２９に螺合させた全ネジボルト３０の下端部を孔４１内に挿入し、受け金物２９を溝４２に載置させる。この時、全ネジボルト３０の下端が躯体コンクリート２の上面から３〜５ｍｍ程度浮き上がっている状態が好適である。
【００１３】
この状態で、図４（ｂ）に示す如く、ベースプレート４の中央孔２１及び内筒５内に全ネジボルト３０の上端を挿入させ、ベースプレート４の下面を受け金物２９に載置して、内筒５を起立させ、ベースプレート４の挿通孔２３，２３…にプラスチックプラグ付きアンカー２２を夫々挿通し、アンカー２２，２２…を断熱材３を貫通させて、アンカー２２，２２…の下端部を躯体コンクリート２に開穿したアンカー孔４３に挿入し、ベースプレート４を躯体コンクリート２から所定間隔離間させて躯体コンクリート２に固定する。この時、図４（ｃ）に示す如く、全ネジボルト３０の下端が躯体コンクリート２の上端に接触するように、断熱材３を若干圧縮してベースプレート４を躯体コンクリート２に固定する。
【００１４】
次に、ベースプレート４及び断熱材３上に絶縁シート４４を布設し、その上に防水層４５を布設し、図４（ｄ）に示す如く、内筒５の下部外周に遊嵌させて防水層４５上に、シーリングプレート８を載置する。
そして、ボルト２８を支持杆２５の雌ネジ２４に螺合させて外筒６を内筒５に取り付け、更に外筒６を回転させて、内筒５に対する外筒６の上下間隔を狭めながら、外筒６の開口端をシーリングプレート８上に載置させる。
【００１５】
次に、前記断熱防水用二重脱気筒１の設置後の作用について説明する。
図１に示すように、断熱材３下の躯体コンクリート２、及び、防水層４５下の断熱材３、絶縁シート４４、防水層４５下面、及びその周辺で発生した水蒸気、水分及びガスを含んだ空気は、矢印の如く、断熱材３に開穿した孔４１及び受け金物２９に形成された連通孔｛図３（ｄ）に於いて２９ａ，２９ａ｝を介し、又は、断熱材３或いはその他の隙間を介して、ベースプレート４の中央孔２１に達し、中央孔２１から内筒５内を上方に進み、矢印で示す如く、支持杆２５近傍の連通孔｛図３（ｃ）に於いて２５ａ｝及び支持杆２７近傍の連通孔を介して内筒５の上端から外筒６内底部（図１に於いて、外筒６の内頂部）側に入り、外筒６内底部側から支持杆２７近傍の連通孔を介して外筒６の開口部（図１に於いて、外筒６の下端部）側に進む。この時、空気内の一部水蒸気又は水分は、外筒６内壁に結露し、結露した水は成長すると外筒６内壁内を伝って落下し、シーリングプレート８を介して防水層４５上に落下する。
外筒６内下部に達した水蒸気、水分及びガスを含んだ空気は、矢印で示す如く、外筒６に形成された１乃至複数の排気用開口部２６から外筒６外へ排出される。
【符号の説明】
【００１６】
１  断熱防水用二重脱気筒
２  躯体コンクリート
３  断熱材
４  ベースプレート
５  内筒
６  外筒
７  ベースプレート保持・調節手段
８  シーリングプレート
２１  中央孔
２４  雌ネジ
２５  支持杆
２６  排気用開口部
２７  支持杆
２８  ボルト
２９  受け金物
３０  全ネジボルト
４５  防水層
【図１】
0003162315.tif 000003
【図２】
0003162315.tif 000004
【図３】
0003162315.tif 000005
【図４】
0003162315.tif 000006